(57)【特許請求の範囲】
【請求項１】
制御機器を収容する筐体と、
前記筐体の側部に通され前記制御機器に接続されるケーブルに対して、前記側部から前記制御機器に至るまでの間に上り勾配を付与する勾配付与手段と、を有し、
前記勾配付与手段として、
前記側部に設けられ、第１貫通孔が筐体上下方向に並んで２箇所形成された側壁部と、
前記筐体内における前記側壁部と前記制御機器との間に設けられ、第２貫通孔が筐体上下方向に並んで２箇所形成された隔壁と、
前記第１貫通孔にそれぞれ取り付けられた第１グロメットと、
前記第２貫通孔にそれぞれ取り付けられた第２グロメットと、を有し、
上側の前記第１グロメット及び前記第２グロメットと、下側の前記第１グロメット及び前記第２グロメットに、前記ケーブルがそれぞれ通され、
前記筐体の、前記勾配付与手段の筐体上下方向の下方には、水抜き穴を有する底部が設けられ、
前記水抜き穴は、前記側壁部と前記隔壁との間に位置している制御盤の防水構造。
【請求項２】
第２貫通孔は、筐体上下方向において前記第１貫通孔よりも上方にオフセットして形成されている請求項１に記載の制御盤の防水構造。
【請求項３】
制御機器を収容する筐体と、
前記筐体の側部に通され前記制御機器に接続されるケーブルに対して、前記側部から前記制御機器に至るまでの間に上り勾配を付与する勾配付与手段と、を有し、
前記勾配付与手段として、
前記側部に設けられ、第１貫通孔が形成された側壁部と、
前記筐体内における前記側壁部と前記制御機器との間に設けられ、第２貫通孔が筐体上下方向において前記第１貫通孔と同じ高さ位置に形成された隔壁と、
前記第１貫通孔に取り付けられ前記ケーブルが通される第１グロメットと、
前記第２貫通孔に取り付けられ、開口部が筐体上下方向において前記第１グロメットの開口部よりも上方にオフセットして形成され前記ケーブルが通される第２グロメットと、
を有する制御盤の防水構造。
【請求項４】
前記筐体の高さ寸法は、幅寸法よりも大きく設定されている請求項１〜請求項３の何れか１項に記載の制御盤の防水構造。
【発明の詳細な説明】
【技術分野】
【０００１】
本発明は、制御盤の防水構造に関する。
【背景技術】
【０００２】
制御端末器において、端子台に接続された給電線が、グロメットを用いて筐体に通される構造が開示されている（特許文献１参照）。
【先行技術文献】
【特許文献】
【０００３】
【特許文献１】特開２００１−３５６７０号公報
【発明の概要】
【発明が解決しようとする課題】
【０００４】
上記した特許文献１に開示されているように、従来から、グロメットを使用してケーブルを制御盤の筐体に通すことが行われている。グロメットを筐体の底面に設けて、該底面にケーブルを通す構造であれば、筐体外のケーブルに水滴が付着する環境下でも、該水滴がケーブルを伝って筐体内部に侵入することはない。
【０００５】
しかしながら、ケーブルを制御盤の筐体の側部に通す構造とした場合には、ケーブルに付着した水滴が、ケーブルを伝って筐体内部へ侵入することが考えられ、これを防止することが困難であった。
【０００６】
本発明は、上記事実を考慮して、筐体の側部にケーブルが通される構造において、ケーブルに付着する水滴から制御盤を保護することを目的とする。
【課題を解決するための手段】
【０００７】
第１の態様に係る制御盤の防水構造は、制御機器を収容する筐体と、前記筐体の側部に通され前記制御機器に接続されるケーブルに対して、前記側部から前記制御機器に至るまでの間に上り勾配を付与する勾配付与手段と、を有する。
【０００８】
この制御盤の防水構造では、勾配付与手段により、筐体の側部に通され制御機器に接続されるケーブルに対して、筐体の側部から制御機器に至るまでの間に上り勾配が付与されるので、筐体の外部のケーブルに水滴が付着したとしても、該水滴がケーブルを伝って筐体内部の制御機器に侵入することを防止できる。このため、筐体の側部にケーブルが通される構造において、ケーブルに付着する水滴から制御盤を保護することができる。
【０００９】
第２の態様は、第１の態様に係る制御盤の防水構造において、前記勾配付与手段として、前記側部に設けられ、第１貫通孔が形成された側壁部と、前記筐体内における前記側壁部と前記制御機器との間に設けられ、第２貫通孔が筐体上下方向において前記第１貫通孔よりも上方にオフセットして形成された隔壁と、前記第１貫通孔に取り付けられ前記ケーブルが通される第１グロメットと、前記第２貫通孔に取り付けられ前記ケーブルが通される第２グロメットと、を有する。
【００１０】
この制御盤の防水構造では、筐体内の隔壁の第２貫通孔に取り付けられた第２グロメットが、側壁部の第１貫通孔に取り付けられた第１グロメットよりも筐体上下方向において上方にオフセットされている。従って、第１グロメット及び第２グロメットにケーブルを通すと、該第１グロメットと第２グロメットとの間、換言すれば側壁部と隔壁との間で、該ケーブルに上り勾配が付与される。このため、筐体の外部のケーブルに付着した水滴が、ケーブルを伝って筐体内部の制御機器に侵入することを容易に防止できる。またこの制御盤の防水構造では、第１グロメットと第２グロメットとを同一構成とすることができる。
【００１１】
第３の態様は、第１の態様に係る制御盤の防水構造において、前記勾配付与手段として、前記側部に設けられ、第１貫通孔が形成された側壁部と、前記筐体内における前記側壁部と前記制御機器との間に設けられ、第２貫通孔が筐体上下方向において前記第１貫通孔と同じ高さ位置に形成された隔壁と、前記第１貫通孔に取り付けられ前記ケーブルが通される第１グロメットと、前記第２貫通孔に取り付けられ、開口部が筐体上下方向において前記第１グロメットの開口部よりも上方にオフセットして形成され前記ケーブルが通される第２グロメットと、を有する。
【００１２】
この制御盤の防水構造では、側壁部の第１貫通孔に取り付けられた第１グロメットと、筐体内の隔壁の第２貫通孔に取り付けられた第２グロメットが、筐体上下方向において互いに同じ高さ位置に取り付けられている。一方、第２グロメットの開口部は、第１グロメットの開口部よりも上方にオフセットされている。従って、第１グロメット及び第２グロメットにケーブルを通すと、該ケーブルは、第１グロメットの開口部と第２グロメットの開口部で夫々支持される。これにより、第１グロメットと第２グロメットとの間、換言すれば側壁部と隔壁との間で、ケーブルに上り勾配が付与される。このため、側壁部の第１貫通孔と隔壁の第２貫通孔が、筐体上下方向において互いに同じ高さ位置に形成されている場合でも、第１グロメット及び第２グロメットによって、筐体の外部のケーブルに付着した水滴が、ケーブルを伝って筐体内部の制御機器に侵入することを容易に防止できる。
【００１３】
第４の態様は、第１〜第３の態様の何れか１態様に係る制御盤の防水構造において、前記筐体の、前記勾配付与手段の筐体上下方向の下方には、水抜き穴を有する底部が設けられている。
【００１４】
この制御盤の防水構造では、筐体における勾配付与手段の下方に、水抜き穴を有する底部が設けられているので、ケーブルから該底部に落ちた水は、該水抜き穴から排出される。このため、筐体内に水が留まることを防止できる。
【発明の効果】
【００１５】
以上説明したように、第１の態様に係る制御盤の防水構造によれば、筐体の側部にケーブルが通される構造において、ケーブルに付着する水滴から制御盤を保護することができる、という優れた効果が得られる。
【００１６】
第２の態様に係る制御盤の防水構造によれば、筐体の外部のケーブルに付着した水滴が、ケーブルを伝って筐体内部の制御機器に侵入することを容易に防止できる、という優れた効果が得られる。
【００１７】
第３の態様に係る制御盤の防水構造によれば、側壁部の第１貫通孔と隔壁の第２貫通孔が、筐体上下方向において互いに同じ高さ位置に形成されている場合でも、第１グロメット及び第２グロメットによって、筐体の外部のケーブルに付着した水滴が、ケーブルを伝って筐体内部の制御機器に侵入することを容易に防止できる、という優れた効果が得られる。
【００１８】
第４の態様に係る制御盤の防水構造によれば、筐体内に水が留まることを防止できる、という優れた効果が得られる。
【図面の簡単な説明】
【００１９】
【図１】開閉装置における制御盤の取付け状態を示す斜視図である。
【図２】制御盤を示す分解図である。
【図３】第１グロメット及び第２グロメットが鉛直方向に並ぶように配置された制御盤を示す要部拡大分解斜視図である。
【図４】（Ａ）は、第１グロメットと、筐体上下方向において第１グロメットよりも上方にオフセットされた第２グロメットにケーブルが通された状態を模式的に示す図３における４Ａ−４Ａ矢視断面図である。（Ｂ）は、互いに同じ高さ位置に設けられた第１グロメットと第２グロメットにケーブルが通され、該ケーブルが第１グロメットと第２グロメットとの間で下方に凸に湾曲している状態を模式的に示す断面図である。（Ｃ）は、互いに同じ高さ位置に設けられ、第１グロメットと、開口部が筐体上下方向において第１グロメットの開口部よりも上方にオフセットして形成された第２グロメットにケーブルが通された状態を模式的に示す断面図である。
【図５】（Ａ）開口部が中心に配置された第１グロメットを示す拡大正面図である。（Ｂ）開口部が中心からオフセットされた第１グロメットを示す拡大正面図である。
【図６】第１グロメット及び第２グロメット水平方向に並ぶように配置された制御盤を示す要部拡大分解斜視図である。
【図７】（Ａ）は、第１グロメットと、筐体上下方向において第１グロメットよりも上方にオフセットされた第２グロメットにケーブルが通された状態を模式的に示す、図６における７Ａ−７Ａ矢視断面図である。（Ｂ）は、互いに同じ高さ位置に設けられた第１グロメットと第２グロメットにケーブルが通され、該ケーブルが第１グロメットと第２グロメットとの間で下方に凸に湾曲している状態を模式的に示す断面図である。（Ｃ）は、互いに同じ高さ位置に設けられ、第１グロメットと、開口部が筐体上下方向において第１グロメットの開口部よりも上方にオフセットして形成された第２グロメットにケーブルが通された状態を模式的に示す断面図である。
【発明を実施するための形態】
【００２０】
以下、本発明を実施するための形態を図面に基づき説明する。
【００２１】
図１において、本実施形態に係る制御盤の防水構造Ｓは、例えば電動式の開閉装置１０に用いられる。開閉装置１０は、シャッターカーテン１４と、該シャッターカーテン１４を巻き取る巻取りシャフト（図示せず）と、巻取りシャフトを回転駆動するモータ（図示せず）とを有している。巻取りシャフトは、両端を一対のブラケット１６，１８により支持されている。制御盤１２は、ブラケット１８に重ねて設けられるサイドカバー２０に、例えばＬ字状の取付け板２２を用いて固定されている。
【００２２】
ここで、巻取りシャフトの軸方向を矢印Ｘ方向とし、矢印Ｘ方向と直交する水平方向を矢印Ｙ方向とし、鉛直方向を矢印Ｚ方向とすると、制御盤１２は、矢印Ｙ方向においてシャッターカーテン１４と離間し、長手方向が矢印Ｘ方向と平行となるように配置されている。なお、巻取りシャフトや制御盤１２等は、通常時は図示しないカバーにより覆われている。
【００２３】
制御盤の防水構造Ｓは、筐体２４と、勾配付与手段（側壁部２６、隔壁２８、第１グロメット３１及び第２グロメット３２）と、を有している。
【００２４】
図２において、筐体２４は、電子回路基板等の制御機器３０を収容する部材であり、本体３４と、カバー３６とを有している。本体３４の長手方向の両端には、側壁部２６及び隔壁２８が一対ずつ設けられている。制御機器３０は、本体３４における両方の隔壁２８の間に取り付けられている。筐体２４の高さ寸法（矢印Ｚ方向）は、幅寸法（矢印Ｙ方向）よりも大きく設定されている。換言すれば、制御盤１２は縦置きに配置されている（図１）。
【００２５】
勾配付与手段は、筐体２４の側部２５に通され制御機器に接続されるケーブルに対して、側部２５から制御機器３０に至るまでの間に上り勾配を付与する。本実施形態は、勾配付与手段として、側壁部２６、隔壁２８、第１グロメット３１及び第２グロメット３２を有している。図３において、側壁部２６は、筐体２４の側部２５に設けられ、例えば２つの第１貫通孔４１，５１が、鉛直方向（矢印Ｚ方向）に並んで２箇所形成されている。
【００２６】
隔壁２８は、筐体２４内における側壁部２６と制御機器３０との間に設けられている。隔壁２８には、例えば２つの第２貫通孔４２，５２が、筐体上下方向において第１貫通孔４１，５１よりも上方にオフセットして形成されている（図４（Ａ））。筐体上下方向は、例えば鉛直方向（矢印Ｚ方向）である。第２貫通孔４２，５２は、第１貫通孔４１，５１と同じく鉛直方向（矢印Ｚ方向）に並んで２箇所形成されている。第１貫通孔４１，５１の中心間距離Ｌ１は、第２貫通孔４２，５２の中心間距離Ｌ２と同等である。上記オフセットは、上側の第１貫通孔４１と上側の第２貫通孔４２との間で設定されると共に、下側の第１貫通孔５１と下側の第２貫通孔５２との間で設定されている。また、オフセット量は、ケーブル４０の可撓性や、該ケーブル４０に付与する上り勾配の程度を考慮して適宜設定される。
【００２７】
矢印Ｚ方向における隔壁２８の両端には、折曲げ部２８Ａ，２８Ｃが設けられ、矢印Ｙ方向における隔壁２８の両端には、折曲げ部２８Ｂ，２８Ｄが設けられている。隔壁２８は、例えば２つのねじ３８を用いて、折曲げ部２８Ｄにおいて本体３４の側壁部４４に固定されている。折曲げ部２８Ｄに対向する折曲げ部２８Ｂには、ねじ３８の締結の際に工具（図示せず）との干渉を避けるための切欠き２８Ｅが形成されている。
【００２８】
第１グロメット３１は、第１貫通孔４１，５１に取り付けられている。第２グロメット３２は、第２貫通孔４２，５２に取り付けられている。第１グロメット３１及び第２グロメット３２には、ケーブル４０が通される。図５（Ａ）に示されるように、第１グロメット３１は、円環部４６の内側に、例えばゴム等の弾性膜部４７を設けた部材である。円環部４６は、第１貫通孔４１，５１に嵌め込まれる部位である。弾性膜部４７の中心には開口部４８が形成されている。弾性膜部４７には、開口部４８から放射状に複数のスリット４９が形成されている。開口部４８は、このスリット４９が集合する部位であり、自然状態で閉じていてもよい。第１グロメット３１にケーブル４０が通される場合、スリット４９で分断された弾性膜部４７が弾性変形するようになっている。またこれにより、ケーブル４０と第１グロメット３１間の隙間を少なくしつつ、該ケーブル４０を弾性膜部４７で弾性的に支持できるようになっている。第２グロメット３２の構成は、第１グロメット３１と同様である。
【００２９】
なお、勾配付与手段は、上記のものに限られない。例えば図４（Ｂ），（Ｃ）に示されるように、隔壁２８の第２貫通孔４２，５２が、筐体上下方向（矢印Ｚ方向）において第１貫通孔４１，５１と同じ高さ位置に形成されていてもよい。図４（Ｂ）に示される例では、互いに同じ高さ位置に設けられた第１グロメット３１と第２グロメット３２にケーブル４０が通され、該ケーブル４０が第１グロメット３１と第２グロメット３２との間で下方に凸に湾曲している。この湾曲により、ケーブル４０に上り勾配が付与されている。
【００３０】
図４（Ｃ）に示される例では、第２グロメット３２の開口部４８が、筐体上下方向（矢印Ｚ方向）において第１グロメット３１の開口部４８よりも上方にオフセットして形成されている。この第１グロメット３１と第２グロメット３２は、互いに同様の構成であるので、図５（Ｂ）において、第１グロメット３１を例に挙げて説明する。この第１グロメット３１では、開口部４８が、円環部４６の中心からオフセットされ、偏心している。第１グロメット３１において、開口部４８を鉛直方向（矢印Ｚ方向）の下側に配置し、第２グロメット３２において、開口部４８を同じく上側に配置することにより、該第１グロメット３１及び第２グロメット３２に通されるケーブル４０に上り勾配を付与することができる。
【００３１】
なお、図５（Ａ）に記載の構成を有するグロメットと、図５（Ｂ）に記載の構成を有するグロメットを組み合わせて、各々の開口部４８の高さに差を設けても、ケーブル４０に上り勾配を付与することができる。第１グロメット３１と第２グロメット３２のオフセットの方向は、鉛直方向（矢印Ｚ方向）に限られず、鉛直方向に対して傾斜する方向であってもよい。ケーブル４０に上り勾配が付与できる構成であればよい。
【００３２】
図２において、筐体２４における、勾配付与手段の筐体上下方向（矢印Ｚ方向）の下方には、水抜き穴５４を有する底部５０が設けられている。具体的には、この底部５０は、例えば筐体２４のカバー３６に設けられている。筐体２４の長手方向（矢印Ｘ方向）において、水抜き穴５４は、側壁部２６と隔壁２８の間に位置している。水抜き穴５４の数及び大きさは任意である。水抜き穴５４に水が集まり易くするため、底部５０における水抜き穴５４の周囲に傾斜を付けてもよい。
【００３３】
なお、図６に示されるように、制御盤１２を横置きに配置してもよい。このとき、筐体２４の高さ寸法（矢印Ｚ方向）は、幅寸法（矢印Ｙ方向）よりも小さくなる。また、第１グロメット３１は、側壁部２６において、水平方向（矢印Ｙ方向）に並べて配置される。第２グロメット３２は、隔壁２８において、水平方向（矢印Ｙ方向）に並べて配置される。水抜き穴５４を有する底部５０は、筐体２４の本体３４に設けられる。この底部５０には、ねじ３８を用いて隔壁２８が固定される。
【００３４】
図７（Ａ）〜図７（Ｃ）に示される勾配付与手段の例については、図４（Ａ）〜図４（Ｃ）に示される例と同様であるので、同一の部分には図面に同一の符号を付し、説明を省略する。
【００３５】
（作用）
本実施形態は、上記のように構成されており、以下その作用について説明する。図４（Ａ）〜図４（Ｃ）において、本実施形態に係る制御盤の防水構造Ｓでは、勾配付与手段により、筐体２４の側部２５に通され制御機器３０に接続されるケーブル４０に対して、筐体２４の側部２５から制御機器３０に至るまでの間に上り勾配が付与される。
【００３６】
具体的には、図４（Ａ）に示される例では、筐体２４内の隔壁２８の第２貫通孔４２，５２に取り付けられた第２グロメット３２が、側壁部２６の第１貫通孔４１，５１に取り付けられた第１グロメット３１よりも筐体上下方向（矢印Ｚ方向）において上方にオフセットされている。従って、第１グロメット３１及び第２グロメット３２にケーブル４０を通すと、該第１グロメット３１と第２グロメット３２との間、換言すれば側壁部２６と隔壁２８との間で、該ケーブル４０に上り勾配が付与される。従って、筐体２４の外部のケーブル４０に水滴（図示せず）が付着したとしても、該水滴がケーブル４０を伝って筐体２４内部の制御機器３０に侵入することを防止できる。
【００３７】
図４（Ｂ）に示される例では、側壁部２６の第１貫通孔４１，５１に取り付けられた第１グロメット３１と、筐体２４内の隔壁２８の第２貫通孔４２，５２に取り付けられた第２グロメット３２が、筐体上下方向（矢印Ｚ方向）において互いに同じ高さ位置に取り付けられている。この第１グロメット３１と第２グロメット３２には、ケーブル４０が通され、該ケーブル４０が第１グロメット３１と第２グロメット３２との間で下方に凸に湾曲している。この湾曲により、ケーブル４０に上り勾配が付与される。
【００３８】
図４（Ｃ）に示される例では、図４（Ｂ）の例と同様に、第１グロメット３１と第２グロメット３２が、筐体上下方向（矢印Ｚ方向）において互いに同じ高さ位置に取り付けられている。一方、第２グロメット３２の開口部４８は、第１グロメット３１の開口部４８よりも上方にオフセットされている。従って、第１グロメット３１及び第２グロメット３２にケーブル４０を通すと、該ケーブル４０は、第１グロメット３１の開口部４８と第２グロメット３２の開口部４８で夫々支持される。これにより、第１グロメット３１と第２グロメット３２との間、換言すれば側壁部２６と隔壁２８との間で、ケーブル４０に上り勾配が付与される。
【００３９】
図４（Ｂ），図４（Ｃ）に示される例では、側壁部２６の第１貫通孔４１，５１と隔壁２８の第２貫通孔４２，５２が、筐体上下方向（矢印Ｚ方向）において互いに同じ高さ位置に形成されている場合でも、筐体２４の外部のケーブル４０に付着した水滴が、ケーブル４０を伝って筐体２４内部の制御機器３０に侵入することを容易に防止できる。
【００４０】
上記のように、本実施形態によれば、筐体２４の側部２５にケーブル４０が通される構造において、ケーブル４０に付着する水滴から制御盤１２を保護することができる。また、筐体２４における勾配付与手段の下方に、水抜き穴５４を有する底部５０が設けられているので、ケーブル４０から該底部に落ちた水は、該水抜き穴５４から排出される。このため、筐体２４内に水が留まることを防止できる。
【００４１】
更に、図５（Ａ），図５（Ｂ）に示されるように、第１グロメット３１及び第２グロメット３２が、弾性膜部４７を有しているので、１本のケーブル４０を通すだけでなく、複数本のケーブル４０を通すことができる。
【００４２】
なお、図６，図７（Ａ）〜図７（Ｃ）に示される例についても、図２〜図４に示される例と同様に、筐体２４の外部のケーブル４０に付着した水滴が、該ケーブル４０を伝って筐体２４内部の制御機器３０に侵入することを防止できる。
【符号の説明】
【００４３】
２４    筐体
２５    側部
２６    側壁部（勾配付与手段）
２８    隔壁（勾配付与手段）
３０    制御機器
３１    第１グロメット（勾配付与手段）
３２    第２グロメット（勾配付与手段）
４０    ケーブル
４１    第１貫通孔
４２    第２貫通孔
４８    開口部
５０    底部
５１    第１貫通孔
５２    第２貫通孔
５４    水抜き穴
Ｓ      制御盤の防水構造
Ｚ      矢印（筐体上下方向）
【図１】
0006454525.tif 000002
【図２】
0006454525.tif 000003
【図３】
0006454525.tif 000004
【図４】
0006454525.tif 000005
【図５】
0006454525.tif 000006
【図６】
0006454525.tif 000007
【図７】
0006454525.tif 000008